(57)【要約】【課題】本発明は、明室コントラストを向上させると共に、駆動時の消耗電力が低減するプラズマディスプレイ装置を提供するためのものである。【解決手段】本発明に係るプラズマディスプレイ装置は、上部基板（１０）に形成される透明電極（１１ａ、１２ａ）、透明電極（１１ａ、１２ａ）上に形成されるブラック層（１１ｃ、１２ｃ）、及びブラック層（１１ｃ、１２ｃ）上に形成されるバス電極（１１ｂ、１２ｂ）を含み、バス電極（１１ｂ、１２ｂ）はブラック層（１１ｃ、１２ｃ）が形成された領域の外部で透明電極（１１ａ、１２ａ）と接触するように構成される。【選択図】図１
2008016437.tif 000002
【特許請求の範囲】
【請求項１】
上部基板に形成される透明電極と、
前記透明電極上に形成されるブラック層と、
前記ブラック層上に形成されるバス電極と、を含み、
前記バス電極は、前記ブラック層が形成された領域の外部で前記透明電極と接触することを特徴とするプラズマディスプレイ装置。
【請求項２】
前記バス電極は、前記ブラック層が形成された領域の両側で前記透明電極と接触することを特徴とする請求項１記載のプラズマディスプレイ装置。
【請求項３】
前記バス電極の幅は、前記ブラック層の幅より広いことを特徴とする請求項１記載のプラズマディスプレイ装置。
【請求項４】
前記バス電極の幅は、前記ブラック層の幅の１倍以上１．５倍以下であることを特徴とする請求項１記載のプラズマディスプレイ装置。
【請求項５】
前記透明電極と前記バス電極とが接触する部分の幅は、前記ブラック層の幅の１０％乃至５０％であることを特徴とする請求項１記載のプラズマディスプレイ装置。
【請求項６】
前記バス電極の幅は、６０μｍ乃至１１０μｍであることを特徴とする請求項１記載のプラズマディスプレイ装置。
【請求項７】
前記バス電極は、前記透明電極と接触する部分の厚みと前記ブラック層と接触する部分の厚みとが異なることを特徴とする請求項１記載のプラズマディスプレイ装置。
【請求項８】
前記ブラック層の厚みは１１μｍ以内であることを特徴とする請求項１記載のプラズマディスプレイ装置。
【請求項９】
前記バス電極の前記ブラック層と接触する部分の厚みは、５μｍ乃至１０μｍであることを特徴とする請求項１記載のプラズマディスプレイ装置。
【請求項１０】
前記バス電極の前記透明電極と接触する部分の厚みは、１６μｍ乃至２１μｍであることを特徴とする請求項１記載のプラズマディスプレイ装置。
【発明の詳細な説明】
【技術分野】
【０００１】
本発明は、プラズマディスプレイ装置に関し、より詳しくは、パネルの明室コントラストが向上し、駆動時の消耗電力が低減する電極構造を有するプラズマディスプレイ装置に関する。
【背景技術】
【０００２】
プラズマディスプレイパネル（Plasma Display Panel；ＰＤＰ）は、放電空間に設けられた電極に所定の電圧を印加して放電を起こし、ガス放電時に発生するプラズマが蛍光体を励起させることによって、文字またはグラフィックを含んだ画像を表示する装置であって、大型化及び軽量化と平面薄型化が容易であり、上下左右に広い視野角を提供し、フルカラー及び高輝度が具現できるという長所がある。
【０００３】
一般に、プラズマディスプレイパネルは、放電空間に設けられた電極に所定の電圧を印加して放電を起こし、ガス放電時に発生するプラズマが蛍光体を励起させることによって、文字またはグラフィックを含んだ画像を表示する装置である。
【０００４】
また、プラズマディスプレイパネルは、プラズマ発光を用いた単純な構造を有し、大画面、高画質、軽量薄型で設置場所などの制約を受けない画像表示装置として広く利用されている趨勢である。
【０００５】
プラズマディスプレイパネルは、上部基板にスキャン電極及びサステイン電極が形成され、スキャン電極及びサステイン電極は、透明電極、ブラック層及びバス電極が積層されて形成される。
【０００６】
ここで、ブラック層は、透明電極とバス電極との間に形成され、透明電極とバス電極をＡｇ拡散により電気的に連結する。
【０００７】
しかしながら、従来の発明に係るプラズマディスプレイパネルは、透明電極とバス電極との間に形成されるブラック層が透明電極とバス電極とを分離させて、透明電極とバス電極との間でＡｇ拡散により電気的に連結されることにより、Ａｇ拡散による抵抗値が上昇してジッタ（Jitter）特性が悪くなり、放電電圧が上昇する問題点がある。
【発明の開示】
【発明が解決しようとする課題】
【０００８】
本発明は、前記した従来技術の問題点を改善するために案出したものであって、透明電極（ＩＴＯ）とバス電極との間にブラック層を備えて明室コントラストを向上させると共に、電極の抵抗を低減してパネルの全体的に均一な画面の表現を可能にして、消耗電力が低減するプラズマディスプレイ装置を提供することをその目的とする。
【課題を解決するための手段】
【０００９】
前記した課題を改善するための本発明に係るプラズマディスプレイ装置の第１の特徴は、上部基板に形成される透明電極、前記透明電極上に形成されるブラック層、及び前記ブラック層上に形成されるバス電極を含み、前記バス電極は前記ブラック層が形成された領域の外部で前記透明電極と接触する。
【００１０】
また、本発明に係るプラズマディスプレイ装置の第２の特徴は、上部基板に形成される透明電極、前記透明電極上に形成されるブラック層、及び前記ブラック層上に形成されるバス電極を含み、前記バス電極は前記ブラック層が形成された領域の外部で前記透明電極と接触し、前記透明電極と前記バス電極が接触する部分の幅は前記ブラック層の幅の１０％乃至５０％である。
【００１１】
また、本発明に係るプラズマディスプレイ装置の第３の特徴は、上部基板に形成される透明電極、前記透明電極上に形成されるブラック層、及び前記ブラック層上に形成されるバス電極を含み、前記バス電極は前記ブラック層が形成された領域の外部で前記透明電極と接触し、前記透明電極と接触する部分のバス電極の厚みは前記ブラック層と接触する部分のバス電極の厚みの１．１倍乃至４倍である。
【発明の効果】
【００１２】
前記のように構成される本発明に係るプラズマディスプレイ装置は、上部基板に形成されたスキャン電極及びサステイン電極のバス電極がブラック層が形成された領域の外部で透明電極と接触するように形成されるので、バス電極と透明電極との間の抵抗値を減少させ、これにより駆動電圧が減少し、電力効率が向上する効果がある。
【００１３】
また、本発明に係るプラズマディスプレイ装置は、全体的に均一な画面表示が可能であり、明室コントラストが向上し、製品の商品性を向上させる効果がある。
【発明を実施するための最良の形態】
【００１４】
以下、本発明の好ましい実施例を添付した図面を参照しつつ詳細に説明する。
【００１５】
図１は、プラズマディスプレイパネルの電極配置構造に対する一実施例を示す図である。プラズマディスプレイパネルを構成する複数の放電セルは、図１に示すように、マトリックス形態で配置されることが好ましい。複数の放電セルは、スキャン電極ライン（Ｙ１乃至Ｙｍ）、サステイン電極ライン（Ｚ１乃至Ｚｍ）及びアドレス電極ライン（Ｘ１乃至Ｘｎ）の各々の交差部に設けられる。スキャン電極ライン（Ｙ１乃至Ｙｍ）は順次に、または、同時に駆動され、サステイン電極ライン（Ｚ１乃至Ｚｍ）は同時に駆動される。アドレス電極ライン（Ｘ１乃至Ｘｎ）は奇数番目のラインと偶数番目のラインとに分割されて駆動されたり、順次に駆動される。
【００１６】
図１に図示された電極配置は、本発明に係るプラズマパネルの電極配置構造に対する一実施例に過ぎないので、本発明は、図１に図示されたプラズマディスプレイパネルの電極配置及び駆動方式に限定されない。例えば、スキャン電極ライン（Ｙ１乃至Ｙｍ）のうち、２つのスキャン電極ラインが同時にスキャニングされるデュアルスキャン（dual scan）方式も可能である。また、アドレス電極ライン（Ｘ１乃至Ｘｎ）はパネルの中央部分で上下に分割されて駆動されてもよい。
【００１７】
図２は、１つのフレーム（frame）を複数のサブフィールドに分けて時分割駆動させる方法に関する一実施例を示すタイミング図である。単位フレームは、時分割階調表示を実現するために、所定の個数、例えば８個のサブフィールド（ＳＦ１、・・・、ＳＦ８）に分割される。また、各サブフィールド（ＳＦ１、・・・ＳＦ８）は、リセット区間（図示せず）、アドレス区間（Ａ１、・・・、Ａ８）及びサステイン区間（Ｓ１、・・・、Ｓ８）に分割される。
【００１８】
ここで、本発明の一実施例によれば、リセット区間は複数個のサブフィールドのうち、少なくとも１つで省略される。例えば、リセット区間は最初のサブフィールドでのみ存在したり、最初のサブフィールドと全体サブフィールドのうち、中間程度のサブフィールドでのみ存在してもよい。
【００１９】
各アドレス区間（Ａ１、・・・、Ａ８）では、アドレス電極（Ｘ）に表示データ信号が印加され、各スキャン電極（Ｙ）に相応するスキャンパルスが順次に印加される。
【００２０】
各サステイン区間（Ｓ１、・・・、Ｓ８）では、スキャン電極（Ｙ）とサステイン電極（Ｚ）にサステインパルスが交互に印加され、アドレス区間（Ａ１、・・・、Ａ８）で壁電荷が形成された放電セルでサステイン放電を起こす。
【００２１】
プラズマディスプレイパネルの輝度は、単位フレームに占めるサステイン放電区間（Ｓ１、・・・、Ｓ８）内のサステイン放電パルスの個数に比例する。１つの画像を形成する１つのフレームが、８個のサブフィールドと２５６階調で表現される場合、各サブフィールドには順に１、２、４、８、１６、３２、６４、１２８の割合で互いに異なるサステインパルスの数が割り当てられる。１３３階調の輝度を得るためには、サブフィールド１区間、サブフィールド３区間及びサブフィールド８区間の間、セルをアドレッシングしてサステイン放電すればよい。
【００２２】
各サブフィールドに割り当てられるサステイン放電数は、ＡＰＣ（Automatic Power Control）段階に従うサブフィールドの加重値によって可変的に決まる。すなわち、図２では１フレームを８個のサブフィールドに分割する場合を例として説明したが、本発明はそれに限定さるのでなく、１フレームを形成するサブフィールドの数を設計仕様によって多様に変形可能である。例えば、１フレームを１２または１６サブフィールドなどのように、８サブフィールド以上に分割してプラズマディスプレイパネルを駆動させることができる。
【００２３】
また、各サブフィールドに割り当てられるサステイン放電数は、ガンマ特性やパネル特性を考慮して多様に変形可能である。例えば、サブフィールド４に割り当てられた階調度を８から６に下げて、サブフィールド６に割り当てられた階調度を３２から３４に上げることができる。
【００２４】
図３は、分割された１つのサブフィールドに対して、プラズマディスプレイパネルを駆動させるための駆動信号に関する一実施例をタイミング図として示すものである。
【００２５】
サブフィールドはスキャン電極（Ｙ）上に正極性壁電荷を形成し、サステイン電極（Ｚ）上に負極性壁電荷を形成するためのプリリセット（prereset）区間、プリリセット区間により形成された壁電荷分布を用いて全画面の放電セルを初期化するためのリセット（reset）区間、放電セルを選択するためのアドレス（address）区間及び選択された放電セルの放電を維持させるためのサステイン（sustain）区間を含む。
【００２６】
リセット区間はセットアップ（setup）区間及びセットダウン（setdown）区間からなり、前記セットアップ区間では全てのスキャン電極に上りランプ波形（Ramp-up）が同時に印加されて、全ての放電セルで微細放電が発生して、これによって壁電荷が生成される。セットダウン区間には上りランプ波形（Ramp-up）のピーク電圧より低い正極性電圧で下降する下りランプ波形（Ramp-down）が全てのスキャン電極（Ｙ）に同時に印加されて全ての放電セルで消去放電が発生し、これによってセットアップ放電により生成された壁電荷及び空間電荷のうち不要電荷を消去させる。
【００２７】
アドレス区間ではスキャン電極に負極性のスキャン信号（scan）が順次に印加され、これと共に、アドレス電極（Ｘ）に正極性のデータ信号（data）が印加される。このようなスキャン信号（scan）とデータ信号（data）との間の電圧差とリセット区間の間に生成された壁電圧によりアドレス放電が発生してセルが選択される。一方、セットダウン区間とアドレス区間の間に、サステイン電極にはサステイン電圧（Ｖｓ）を維持する信号が印加される。
【００２８】
サステイン区間ではスキャン電極とサステイン電極に交互にサステインパルスが印加されて、スキャン電極とサステイン電極との間に面放電形態でサステイン放電が発生する。
【００２９】
図３に図示された駆動波形は、本発明に係るプラズマディスプレイパネルを駆動させるための信号に関する一実施例であって、図３に図示された波形により本発明が限定されるのではない。例えば、プリリセット区間を省略してもよく、図３に図示された駆動信号の極性及び電圧レベルは必要によって変更してもよく、サステイン放電が完了した後に壁電荷消去のための消去信号がサステイン電極に印加されてもよい。また、サステイン信号がスキャン電極（Ｙ）とサステイン（Ｚ）電極のうち、いずれか１つのみに印加されてサステイン放電を起こすシングルサステイン（single sustain）駆動を実行してもよい。
【００３０】
図４は、本発明に係るプラズマディスプレイ装置の構造に関する一実施例を示す斜視図である。
【００３１】
図４に図示されたプラズマディスプレイパネルは、上部基板１０上に形成される維持電極対であるスキャン電極１１、サステイン電極１２、及び下部基板２０上に形成されるアドレス電極２２を含む。
【００３２】
維持電極対１１、１２は、通常インジウムチンオキサイド（Indium-Tin-Oxide；ＩＴＯ）で形成された透明電極１１ａ、１２ａとバス電極１１ｂ、１２ｂを含み、バス電極１１ｂ、１２ｂは、銀（Ａｇ）、クロム（Ｃｒ）などの金属、またはクロム／銅／クロム（Ｃｒ／Ｃｕ／Ｃｒ）の積層型やクロム／アルミニウム／クロム（Ｃｒ／Ａｌ／Ｃｒ）の積層型で形成されてもよい。バス電極１１ｂ、１２ｂは、透明電極１１ａ、１２ａ上に形成され、抵抗の高い透明電極１１ａ、１２ａによる電圧降下を減らす役割をする。
【００３３】
一方、維持電極対１１、１２は透明電極１１ａ、１２ａとバス電極１１ｂ、１２ｂが積層された構造であり、バス電極１１ｂ、１２ｂは上記した材料以外に感光性銀（Ａｇ）等、多様な材料で形成されてもよい。
【００３４】
スキャン電極１１及びサステイン電極１２の透明電極１１ａ、１２ａとバス電極１１ｂ、１１ｃとの間には、上部基板１０の外部で発生する外部光を吸収して反射を減らす光遮断機能を遂行し、上部基板１０のピュリティ（Purity）及びコントラストを向上させる機能を有するブラックマトリックス（Black Matrix；ＢＭ）１５が配列される。
【００３５】
ブラックマトリックス１５は上部基板１０に形成されるが、隔壁２１と重畳される位置に形成される。また、透明電極１１ａ、１２ａとバス電極１１ｂ、１２ｂとの間にはブラック層１１ｃ、１２ｃが形成される。ここで、ブラックマトリックス１５とブラック層１１ｃ、１２ｃは、形成過程で同時に形成されて物理的に連結されてもよく、物理的に連結されないように分離されてもよい。
【００３６】
また、物理的に連結されて形成される場合、ブラックマトリックス１５とブラック層１１ｃ、１２ｃは、同一な材質で形成されるが、物理的に分離されて形成される場合には、ブラックマトリックス１５とブラック層１１ｃ、１２ｃは異なる材質で形成される。
【００３７】
また、ブラックマトリックス１５は形成されず、ブラック層１１ｃ、１２ｃのみが形成される一体型であってもよい。
【００３８】
スキャン電極１１とサステイン電極１２が並んで形成された上部基板１０には上部誘電体層１３と保護膜１４が積層される。上部誘電体層１３には放電により発生された荷電粒子が蓄積され、維持電極対１１、１２を保護する機能を遂行する。保護膜１４はガス放電時に発生した荷電粒子のスパッタリングから上部誘電体層１３を保護し、２次電子の放出効率を高めることになる。また、保護膜１４として、通常、酸化マグネシウム（ＭｇＯ）が用いられるが、シリコン（Ｓｉ）が添加されたＳｉ−ＭｇＯが用いられてもよい。ここで、保護膜１４に添加されるシリコン（Ｓｉ）の含有量は、重量パーセント（ｗｔ％）基準で５０ＰＰＭ乃至２００ＰＰＭである。
【００３９】
一方、アドレス電極２２はスキャン電極１１及びサステイン電極１２と交差する方向に形成される。また、アドレス電極２２が形成された下部基板２０上には下部誘電体層２４と隔壁２１が形成される。
【００４０】
また、下部誘電体層２４と隔壁２１の表面には蛍光体層２３が形成される。隔壁２１は、縦隔壁２１ａと横隔壁２１ｂが閉鎖型で形成され、放電セルを物理的に区分し、放電により生成された紫外線と可視光が隣接した放電セルに漏洩することを防止する。
【００４１】
図４を参照すれば、本発明に係るプラズマディスプレイパネルの全面にはフィルタ２５が形成されることが好ましく、フィルタ２５には外光遮断層、ＡＲ（Anti-Reflection）層、ＮＩＲ（Near Infrared）遮蔽層またはＥＭＩ（Electro Magnetic Interference）遮蔽層などが含まれる。
【００４２】
フィルタ２５とパネルとの間の間隔が１０μｍ乃至３０μｍである時、外部から入射される光を効果的に遮断することができ、パネルから発生する光を外部に効果的に放出することができる。また、外部からの圧力などからパネルを保護するためには、フィルタ２５とパネルとの間の間隔を３０μｍ乃至１２０μｍにすればよい。
【００４３】
フィルタ２５とパネルとの間にはフィルタ２５とパネルに貼付させるための粘着層が形成されてもよい。
【００４４】
本発明では、図４に図示された隔壁２１の構造だけでなく、多様な形状の隔壁の構造であってもよい。例えば、縦隔壁２１ａと横隔壁２１ｂの高さの異なる差等型隔壁構造、縦隔壁２１ａまたは横隔壁２１ｂのうち、１つ以上に排気通路として使用可能なチャネル（Channel）が形成されたチャネル型隔壁構造、縦隔壁２１ａまたは横隔壁２１ｂのうち、１つ以上に溝（Hollow）が形成された溝型隔壁構造などであってもよい。
【００４５】
ここで、差等型隔壁構造の場合は、縦隔壁２１ａに比して横隔壁２１ｂの高さが高いものがより好ましく、チャネル型隔壁構造や溝型隔壁構造の場合は、横隔壁２１ｂにチャネルが形成されたり溝が形成されることが好ましい。
【００４６】
一方、本発明では、Ｒ、Ｇ及びＢ放電セルの各々が同一線上に配列されるとして図示及び説明されているが、他の形状で配列されてもよい。例えば、Ｒ、Ｇ及びＢ放電セルが三角形形状で配列されるデルタ（Delta）タイプの配列であってもよい。また、放電セルの形状も四角形だけでなく、五角形、六角形などの多様な多角形状であってもよい。
【００４７】
また、蛍光体層２３はガス放電時に発生した紫外線により発光されて、赤色（Ｒ）、緑色（Ｇ）または青色（Ｎ）のうち、いずれか１つの可視光を発生することになる。ここで、上部および下部基板１０、２０と隔壁２１との間に設けられた放電空間には、放電のためのＨｅ＋Ｘｅ、Ｎｅ＋Ｘｅ及びＨｅ＋Ｎｅ＋Ｘｅなどの不活性混合ガスが注入される。
【００４８】
本発明に係るプラズマディスプレイ装置の電極構造の実施例を図５乃至図１０を参照して具体的に説明する。
【００４９】
図５は、本発明の第１実施例に係るプラズマディスプレイ装置の電極構造を示す断面図である。
【００５０】
図５を参照すれば、本発明に係るプラズマディスプレイ装置の第１実施例は、バス電極１１ｂ、１２ｂがブラック層１１ｃ、１２ｃ及び透明電極１１ａ、１２ａ上に積層される。
【００５１】
すなわち、バス電極１１ｂ、１２ｂは、ブラック層１１ｃ、１２ｃが形成された領域の外部で透明電極１１ａ、１２ａと接触する。したがって、バス電極１１ｂ、１２ｂは、ブラック層１１ｃ、１２ｃと接触する部分と透明電極１１ａ、１２ａと接触する部分を有する。
【００５２】
ここで、透明電極１１ａ、１２ａと接触する部分はブラック層１１ｃ、１２ｃの側面エッジの外側の部分である。
【００５３】
特に、本発明の第１実施例は、隔壁と近いブラック層の側面エッジの外側でバス電極１１ｂ、１２ｂが透明電極１１ａ、１２ａと接する。
【００５４】
ここで、スキャン電極１１及びサステイン電極１２は、同一放電セル内の電極ではなく、隔壁を間に介して隣り合う２つの放電セルの間の互いに隣接した２つの電極である。したがって、スキャン電極１１とサステイン電極１２との間には隔壁が形成される。なお、図面では当該隔壁を省略した。
【００５５】
また、バス電極１１ｂ、１２ｂがブラック層１１ｃ、１２ｃを完全に覆うことなくブラック層１１ｃ、１２ｃの端部がある程度露出するように形成される。
【００５６】
ここで、透明電極１１ａ、１２ａの幅は、１９０μｍ乃至２５０μｍ、またはそれより広く２４０μｍ乃至３１０μｍで形成される。また、その厚みは１μｍ以下が好ましいが、これに限定されるのでない。
【００５７】
ここで、バス電極１１ｂ、１２ｂの幅（Ｗ２）は、ブラック層１１ｃ、１２ｃの幅（Ｗ１）より等しいか広く形成される。
【００５８】
また、バス電極１１ｂ、１２ｂの幅（Ｗ２）は、ブラック層１１ｃ、１２ｃの幅（Ｗ１）の１倍以上１．５倍以下になることが好ましい。
【００５９】
その一実施例として、バス電極１１ｂ、１２ｂの幅（Ｗ２）は６０μｍ乃至１１０μｍで形成される。バス電極の幅（Ｗ２）が６０μｍより小さい場合は、電極の幅が狭く抵抗減少効果が少ないので、駆動電圧が高まり、バス電極の幅（Ｗ２）が１１０μｍより大きい場合は、放電セルの開口率が低くなって輝度が減少する。
【００６０】
また、透明電極１１ａ、１２ａとバス電極１１ｂ、１２ｂが接触する部分の幅（Ｗ３）は、ブラック層１１ｃ、１２ｃの幅の１０％乃至５０％になるようにする。
【００６１】
幅（Ｗ３）が１０％より少ない場合は、バス電極１１ｂ、１２ｂの面積が狭くなって、バス電極１１ｂ、１２ｂにより効果が得られる電気的抵抗の減少率が低くなり、５０％より広い場合は、放電セルの開口率を減少させて輝度が低下する。
【００６２】
図６は、本発明に係るプラズマディスプレイ装置のバス電極及びブラック層の厚みを示す断面図である。
【００６３】
本発明に係るプラズマディスプレイ装置は、バス電極１１ｂ、１２ｂが透明電極１１ａ、１２ａと接触する部分の厚み（Ｔｂ）とブラック層１１ｃ、１２ｃと接触する部分の厚み（Ｔａ）が異なるように構成される。
【００６４】
ここで、バス電極１１ｂ、１２ｂが透明電極１１ａ、１２ａと接触する部分の厚み（Ｔｂ）はブラック層１１ｃ、１２ｃと接触する部分のバス電極１１ｂ、１２ｂの厚み（Ｔａ）の１．１倍乃至４倍程度になるように形成される。
【００６５】
また、ブラック層１１ｃ、１２ｃの厚み（Ｔ１）は、略１１μｍ以内に形成されることが好ましい。
【００６６】
本発明では、バス電極１１ｂ、１２ｂが透明電極１１ａ、１２ａと直接接するように形成されて、電極の電気的抵抗が減少する効果と共に、従来のように、ブラック層１１ｃ、１２ｃの上に積層されたバス電極のＡｇ成分がブラック層１１ｃ、１２ｃに拡散される現象によっても電気的抵抗を減少させて抵抗減少効果を増大させることができる。
【００６７】
したがって、抵抗減少効果を増大させるために、ブラック層１１ｃ、１２ｃの厚みが１１μｍ以内に形成されず、より厚い場合には、ブラック層１１ｃ、１２ｃ上に積層されたバス電極１１ｂ、１２ｂの導電体成分がブラック層１１ｃ、１２ｃを通過して透明電極まで拡散される効果は微々たるものである。
【００６８】
バス電極１１ｂ、１２ｂがブラック層１１ｃ、１２ｃと接触する部分の厚み（Ｔａ）は略５μｍ乃至１０μｍ程度である。厚み（Ｔａ）が薄過ぎる場合は、厚い場合より電気的抵抗が増加するため、パネルの構造を考慮して上記のような厚みで形成することが好ましい。
【００６９】
また、バス電極１１ｂ、１２ｂが透明電極１１ａ、１２ａと接触する部分の厚み（Ｔｂ）は、ブラック層１１ｃ、１２ｃの厚みを考慮して、略１６μｍ乃至２１μｍ程度になるようにすることが好ましい。
【００７０】
図７は、本発明の第２実施例に係るプラズマディスプレイ装置の電極構造を示す断面図である。
【００７１】
図７を参照すれば、本発明に係るプラズマディスプレイ装置の第２実施例は、バス電極１１ｂ、１２ｂが隔壁側方ではなく、放電空間側方のブラック層１１ｃ、１２ｃの側面エッジの外側で透明電極１１ａ、１２ａと接するように形成される。
【００７２】
すなわち、本発明に係る第２実施例は、第１実施例とは反対方向でバス電極１１ｂ、１２ｂが透明電極１１ａ、１２ａと接するように構成される。
【００７３】
本実施例の残りの構成は、第１実施例と実質的に同一である。
【００７４】
図８は、本発明の第３実施例に係るプラズマディスプレイ装置の電極構造を示す断面図である。
【００７５】
図８を参照すれば、本発明に係るプラズマディスプレイ装置の第３実施例は、第２実施例においてブラック層１１ｃ、１２ｃが互いに連結されるように形成されていることを特徴とする。
【００７６】
スキャン電極１１とサステイン電極１２は、隔壁を境界にして隣り合う２つの電極であるため、ブラック層１１ｃ、１２ｃが互いに連結されても、放電セルの開口率には大きな影響がない。
【００７７】
隔壁の上部もブラック層１１ｃ、１２ｃにより遮られるので、明室コントラストはより向上する。すなわち、本実施例におけるブラック層１１ｃ、１２ｃは、図４で説明したブラックマトリックスの機能を有する。
【００７８】
本実施例の残りの構成は、第２実施例と実質的に同一である。
【００７９】
図９は、本発明の第４実施例に係るプラズマディスプレイ装置の電極構造を示す断面図である。
【００８０】
図９を参照すれば、本発明に係るプラズマディスプレイ装置の第４実施例は、本発明の第１実施例、または第２実施例においてブラック層１１ｃ、１２ｃ上に形成されたバス電極１１ｂ、１２ｂの端部がブラック層１１ｃ、１２ｃの端部と整合するように延びて形成される。
【００８１】
図９は、本発明の第１実施例の変形を図示したものであある。なお、バス電極１１ｂ、１２ｂが透明電極１１ａ、１２ａと接する部分が反対方向に形成された実施例は、図面に図示してはいないが、本実施例に含まれる。
【００８２】
バス電極１１ａ、１１ｂの断面積が増加することにより、電極全体の電気的抵抗が第１実施例、または第２実施例より減少する。
【００８３】
本実施例の残りの構成は、第１実施例または第２実施例と実質的に同一である。
【００８４】
図１０は、本発明の第５実施例に係るプラズマディスプレイ装置の電極構造を示す断面図である。
【００８５】
図１０を参照すれば、本発明に係るプラズマディスプレイ装置の第５実施例は、バス電極１１ｂ、１２ｂがブラック層１１ｃ、１２ｃの両側側面のエッジ外側で透明電極１１ａ、１２ａと接し、ブラック層１１ｃ、１２ｃを覆うように形成される。
【００８６】
本実施例は、透明電極１１ａ、１２ａと接するバス電極１１ｂ、１２ｂの面積が先の実施例より広く、電極全体の電気的抵抗をより減少させることができる。
【００８７】
ただし、バス電極１１ｂ、１２ｂの幅を適切に調節して、放電セルの開口率が低くならないようにしなければならず、それに伴ってブラック層１１ｃ、１２ｃの幅も適切に調節しなければならない。
【００８８】
ここで、ブラック層の外部の一側で透明電極１１ａ、１２ａと接するバス電極１１ｂ、１２ｂの幅を第１実施例または第２実施例の場合より少なくなるようにして、開口率の向上及び電気的抵抗の減少率を高めることができる。
【００８９】
本実施例の残りの構成は、第１実施例または第２実施例と実質的に同一である。
【００９０】
以上、本発明に係るプラズマディスプレイパネルを例示された図面を参照しつつ説明したが、本明細書に開示された実施例と図面により本発明が限定されるのではなく、本発明の範囲内で当業者により応用が可能である。
【図面の簡単な説明】
【００９１】
【図１】プラズマディスプレイ装置の電極配置に対する一実施例を示す図である。
【図２】１つのフレーム（frame）を複数のサブフィールドに分けて時分割駆動させる方法に関する一実施例を示すタイミング図である。
【図３】分割された１つのサブフィールドに対し、プラズマディスプレイ装置を駆動させるための駆動信号に関する一実施例を示すタイミング図である。
【図４】本発明に係るプラズマディスプレイ装置の構造に関する一実施例を示す斜視図である。
【図５】プラズマディスプレイパネルの電極構造に関する第１実施例を示す詳細断面図である。
【図６】本発明に係るプラズマディスプレイ装置のバス電極及びブラック層の厚みを示す断面図である。
【図７】プラズマディスプレイパネルの電極構造に関する第２実施例を示す詳細断面図である。
【図８】プラズマディスプレイパネルの電極構造に関する第３実施例を示す詳細断面図である。
【図９】プラズマディスプレイパネルの電極構造に関する第４実施例を示す詳細断面図である。
【図１０】プラズマディスプレイパネルの電極構造に関する第５実施例を示す詳細断面図である。
【符号の説明】
【００９２】
１０    上部基板
１１    スキャン電極
１２    サステイン電極
１３    上部誘電体層
１４    保護膜
１５    ブラックマトリックス
２０    下部基板
２１    隔壁
２２    アドレス電極
２３    蛍光体層
２４    下部誘電体層
２５    フィルタ
【図１】
2008016437.tif 000003
【図２】
2008016437.tif 000004
【図３】
2008016437.tif 000005
【図４】
2008016437.tif 000006
【図５】
2008016437.tif 000007
【図６】
2008016437.tif 000008
【図７】
2008016437.tif 000009
【図８】
2008016437.tif 000010
【図９】
2008016437.tif 000011
【図１０】
2008016437.tif 000012